【手続補正書】
【提出日】平成17年9月14日(2005.9.14)
【手続補正１】
【補正対象書類名】明細書
【補正対象項目名】発明の名称
【補正方法】変更
【補正の内容】
【発明の名称】重畳画像送信装置および画像処理装置
【手続補正２】
【補正対象書類名】明細書
【補正対象項目名】特許請求の範囲
【補正方法】変更
【補正の内容】
【特許請求の範囲】
【請求項１】
ベース画像に所定データ長の重畳画像を合成して表示させる画像処理装置に上記重畳画像を送信する重畳画像送信装置において、
上記重畳画像の画像データの所定データ位置に、半透明／不透明を識別するための半透明判定フラグを挿入して上記所定データ長とするフラグ挿入手段
を備えることを特徴とする重畳画像送信装置。
【請求項２】
上記半透明判定フラグのデータ値が設定入力される操作手段
をさらに備え、
上記フラグ挿入手段は、
上記操作手段の操作に基づいて上記半透明判定フラグを挿入するようにした
請求項１に記載の重畳画像送信装置。
【請求項３】
上記半透明判定フラグは、
上記重畳画像の所定領域毎に設定が可能であるようにした
請求項１に記載の重畳画像送信装置。
【請求項４】
上記半透明判定フラグは、
上記重畳画像の輝度データの最下位ビットに挿入されるようにした
請求項１に記載の重畳画像送信装置。
【請求項５】
ベース画像に所定データ長の重畳画像を合成して表示させる画像処理装置において、
上記重畳画像の画像データの所定データ位置に、半透明／不透明を識別するための半透明判定フラグを挿入して上記所定データ長とするフラグ挿入手段と、
上記フラグ挿入手段から出力される重畳画像のデータから、上記半透明判定フラグを検出するフラグ検出手段と、
上記フラグ検出手段のフラグ検出結果に基づき、上記重畳画像が出力される不透明画像と、上記ベース画像が出力される透明画像と、上記ベース画像および上記重畳画像を混合した画像が出力される半透明画像とを切り替えて出力する画像処理手段と
を備えるようにした画像処理装置。
【請求項６】
上記画像処理手段は、
上記重畳画像の輝度データの値に基づいて上記透明画像と、上記半透明画像とを切り替えて出力するようにした
請求項５に記載の画像処理装置。
【請求項７】
上記半透明画像出力の処理を有効にするか否かを設定する半透明有効設定操作手段をさらに備え、
上記画像処理手段は、
上記半透明有効設定操作手段の操作に基づき発生される半透明有効フラグが無効を示す領域では、上記フラグ検出手段のフラグ検出結果にかかわらず上記重畳画像のみが出力されるように処理するようにした
請求項５に記載の画像処理装置。
【請求項８】
上記重畳画像の画像データは、
所定データ長の輝度データと色差データとからなるコンポーネントカラービデオデータであり、上記輝度データに上記半透明判定フラグが挿入されて上記所定データ長の輝度データになるようにした
請求項５に記載の画像処理装置。
【請求項９】
上記輝度データの最下位ビットが上記半透明判定フラグになるようにした
請求項８に記載の画像処理装置。
【請求項１０】
上記重畳画像の画像データは、
輝度データと所定データ長の色差データとからなるコンポーネントカラービデオデータであり、上記色差データに、上記半透明判定フラグが挿入されて上記所定データ長の色差データとなるようにした
請求項５に記載の画像処理装置。
【請求項１１】
上記色差データの最下位ビットが上記半透明判定フラグになるようにした
請求項１０に記載の画像処理装置。
【請求項１２】
上記重畳画像の画像データは、
各々所定データ長の３原色データからなるコンポーネントカラービデオデータであり、上記３原色データの１つに上記半透明判定フラグが挿入されて上記所定データ長の３原色データの１つになるようにした
請求項５に記載の画像処理装置。
【請求項１３】
上記３原色データの１つの最下位ビットが上記半透明判定フラグになるようにした
請求項１２に記載の画像処理装置。
【手続補正３】
【補正対象書類名】明細書
【補正対象項目名】０００１
【補正方法】変更
【補正の内容】
【０００１】
【発明の属する技術分野】
この発明は、例えば、ディジタルスチルカメラで撮影されたベース画像に、絵柄パターンや、観光地や有名人の写真、アニメーションのキャラクタ等のミックス画像を重畳させて表示させるような画像処理を行なうのに用いて好適な重畳画像送信装置および画像処理装置に関する。
【手続補正４】
【補正対象書類名】明細書
【補正対象項目名】００１１
【補正方法】変更
【補正の内容】
【００１１】
したがって、この発明の目的は、ベース画像にミックス画像を重畳させて表示させる際に、ベース画像の属性を不透明、半透明に設定できるようにした重畳画像送信装置および画像処理装置を提供することにある。
【手続補正５】
【補正対象書類名】明細書
【補正対象項目名】００１２
【補正方法】変更
【補正の内容】
【００１２】
この発明の他の目的は、従来のフォーマットの画像データとの親和性が保持できると共に、ハードウェアやソフトウェアの増大を招くことがなく、ベース画像の属性を不透明、半透明に設定できるようにした重畳画像送信装置および画像処理装置を提供することにある。
【手続補正６】
【補正対象書類名】明細書
【補正対象項目名】００１３
【補正方法】変更
【補正の内容】
【００１３】
【課題を解決するための手段】
この発明は、ベース画像に所定データ長の重畳画像を合成して表示させる画像処理装置に重畳画像を送信する重畳画像送信装置において、重畳画像の画像データの所定データ位置に、半透明／不透明を識別するための半透明判定フラグを挿入して所定データ長とするフラグ挿入手段を備えることを特徴とする重畳画像送信装置である。また、この発明は、ベース画像に所定データ長の重畳画像を合成して表示させる画像処理装置において、重畳画像の画像データの所定データ位置に、半透明／不透明を識別する半透明判定フラグを挿入して所定データ長とするフラグ挿入手段と、フラグ挿入手段から出力される重畳画像のデータから、半透明判定フラグを検出するフラグ検出手段と、フラグ検出手段のフラグ検出結果に基づき、重畳画像が出力される不透明画像と、ベース画像が出力される透明画像と、ベース画像および上記重畳画像を混合した画像が出力される半透明画像とを切り替えて出力する画像処理手段とを備えるようにした画像処理装置である。
【手続補正７】
【補正対象書類名】明細書
【補正対象項目名】００２０
【補正方法】変更
【補正の内容】
【００２０】
画像処理プロセッサ２は、カメラ３で撮影されたベース画像に、ＲＯＭ５からのミックス画像を重畳して表示させるための処理を行なう。ＲＯＭ５から読み出されたミックス画像のデータは、ＣＰＵ１により、バス７を介して、画像処理プロセッサ２に送られる。このとき、ミックス画像の属性を不透明に設定するか半透明に設定するかに応じて、ＲＯＭ５からのミックス画像の輝度データ中の最下位ビットの半透明判定フラグＴＦＬＧが設定される。
【手続補正８】
【補正対象書類名】明細書
【補正対象項目名】００２４
【補正方法】変更
【補正の内容】
【００２４】
このように、ベース画像とミックス画像とを重畳する際、画像処理プロセッサ２は、ミックス画像の輝度データ中の最下位ビットの半透明判定フラグＴＦＬＧを抽出し、この半透明判定フラグＴＦＬＧから、ミックス画像の属性を判定する。すなわち、半透明判定フラグＴＦＬＧがオフなら、不透明であると判定される。半透明判定フラグＴＦＬＧがオンなら、半透明又は透明と判定され、更に輝度データが「０」なら透明と判定され、「０」以外なら半透明と判定される。
【手続補正９】
【補正対象書類名】明細書
【補正対象項目名】００２５
【補正方法】変更
【補正の内容】
【００２５】
そして、画像処理プロセッサ２は、判定された属性に応じて、ミックス画像とベース画像とを合成する。
【手続補正１０】
【補正対象書類名】明細書
【補正対象項目名】００３１
【補正方法】変更
【補正の内容】
【００３１】
図４は、上述のように、輝度データの最下位ビットの半透明判定フラグＴＦＬＧを用いて、ミックス画像の属性を設定して、ベース画像にミックス画像を重畳するときの処理を機能ブロック図で示したものである。
【手続補正１１】
【補正対象書類名】明細書
【補正対象項目名】００３９
【補正方法】変更
【補正の内容】
【００３９】
ミキサコントロール部１７は、半透明有効フラグ発生部２４からの半透明有効フラグＶＦＬＧと、フラグ判定部１６の出力とにより、ミキサ１５の状態を切り換える。すなわち、半透明有効フラグＶＦＬＧがオフのときには、従来のように、常に、ミックス画像を不透半透明表示として扱うものとして、フラグ判定部１６の出力にかかわらず、ベース画像とミックス画像とが重なる部分では、ミックス画像が出力されるようにミキサ部１５を設定する。
【手続補正１２】
【補正対象書類名】明細書
【補正対象項目名】００４２
【補正方法】変更
【補正の内容】
【００４２】
このようにして、ミキサ１５からは、ミックス画像の属性が不透明、半透明、透明に応じて、ベース画像にミックス画像が重畳された画像データが形成される。このミキサ１５の出力がディスプレイ６に送られる。
【手続補正１３】
【補正対象書類名】明細書
【補正対象項目名】００４３
【補正方法】変更
【補正の内容】
【００４３】
図５は、ベース画像にミックス画像を重畳するときの処理を示すフローチャートである。半透明有効フラグＶＦＬＧがオンか否かが判断される（ステップＳ１）。半透明有効フラグＶＦＬＧがオフなら、ミックス画像は従来の４：２：２方式の画像として、属性を不透明とした処理が行なわれる（ステップＳ２）。属性を不透明としたときの処理では、ベース画像とミックス画像とが重なるときには、ミックス画像を出力する処理が行なわれる。
【手続補正１４】
【補正対象書類名】明細書
【補正対象項目名】図面の簡単な説明
【補正方法】変更
【補正の内容】
【図面の簡単な説明】
【図１】
この発明が適用されたグラフィックシステムの一例のブロック図である。
【図２】
半透明判定ビットの説明に用いる略線図である。
【図３】
半透明表示と不透明表示との説明に用いる略線図である。
【図４】
この発明が適用されたグラフィックシステムの一例の説明に用いる機能ブロック図である。
【図５】
この発明が適用されたグラフィックシステムの一例の説明に用いるフローチャートである。
【図６】
従来の半透明表示と不透明表示との説明に用いる略線図である。